(57)【要約】本発明はＭＢＭＳ（マルチメディア・ブロードキャスト／マルチキャストサービス）におけるデータ再送信のための方法であって、基地局がアップリンク時間−周波数リソースブロックを移動局に割り当てるステップ、移動局が、割り当てられたアップリンク時間−周波数リソースブロックで、受信されたダウンリンクＭＢＭＳサービスデータに関するアップリンクフィードバックシグナリングを基地局にフィードバックするステップであって、１つの同じダウンリンクＭＢＭＳサービスデータに関するアップリンクフィードバックシグナリングが１つの同じアップリンク時間−周波数リソースにおいて合成され、異なるダウンリンクＭＢＭＳサービスデータに関するアップリンクフィードバックシグナリングが１つのアップリンク時間−周波数リソースブロックにおいて多重化される、ステップ、及び基地局が、フィードバックされたアップリンクフィードバックシグナリングに基づいて、データブロックを再送信するかを判断するステップを備える方法を提供する。
2010531100.tif 000002
【特許請求の範囲】
【請求項１】
ＭＢＭＳ（マルチメディア・ブロードキャスト／マルチキャストサービス）におけるデータ再送信のための方法であって、
基地局がアップリンク時間−周波数リソースブロックを移動局に割り当てるステップ、
前記移動局が、割り当てられた前記アップリンク時間−周波数リソースブロックで、受信されたダウンリンクＭＢＭＳサービスデータに関するアップリンクフィードバックシグナリングを基地局にフィードバックするステップであって、１つの同じダウンリンクＭＢＭＳサービスデータに関する該アップリンクフィードバックシグナリングが１つの同じアップリンク時間−周波数リソースにおいて合成され、異なるダウンリンクＭＢＭＳサービスデータに関する該アップリンクフィードバックシグナリングが１つのアップリンク時間−周波数リソースブロックにおいて多重化される、ステップ、及び
前記基地局が、フィードバックされた前記アップリンクフィードバックシグナリングに基づいて、データブロックを再送信するかを判断するステップ
を備える方法。
【請求項２】
請求項１の方法において、前記合成が、１つの同じマルチキャストサービスに対して前記移動局全てが１つの同じ周波数領域リソースを共有するように、１つの同じダウンリンクＭＢＭＳサービスデータに関するアップリンクフィードバックシグナリングが１つの同じ共通使用される周波数領域リソースで送信されるようにすることからなる、方法。
【請求項３】
請求項２の方法において、前記周波数領域リソースがサブキャリアである、方法。
【請求項４】
請求項１の方法において、前記合成が、１つの同じマルチキャストサービスに対して前記移動局全てが１つの同じ時間領域リソースを共有するように、１つの同じダウンリンクＭＢＭＳサービスデータに関するアップリンクフィードバックシグナリングが１つの同じ共通使用される時間領域リソースで送信されるようにすることからなる、方法。
【請求項５】
請求項４の方法において、前記時間領域リソースが異なるサブキャリアについて１つの同じシンボルである、方法。
【請求項６】
請求項１の方法において、１つの同じダウンリンクＭＢＭＳサービスを受信する前記移動局全てが、前記アップリンクフィードバックシグナリングのフィードバックのための前記共通使用される時間−周波数リソースにおける１つの同じパイロット手法を採用する、方法。
【請求項７】
請求項１の方法において、前記多重化が、１つの同じ周波数領域リソースブロックで異なるダウンリンクＭＢＭＳサービスデータに関する前記アップリンクフィードバックシグナリングを多重化して、該異なるダウンリンクＭＢＭＳサービスデータに対する該アップリンクリードバックシグナリングを区別することからなる、方法。
【請求項８】
請求項７の方法において、前記多重化が時分割多重化である、方法。
【請求項９】
請求項７の方法において、前記多重化が周波数分割多重化である、方法。
【請求項１０】
請求項１の方法において、前記アップリンクフィードバックシグナリングがＮＡＣＫシグナリングである、方法。
【請求項１１】
請求項１０の方法において、セル内の移動局のいずれかが１つの同じＭＢＭＳサービスデータに対するデータ送信におけるエラーを検出したときに、ＮＡＣＫシグナリングが基地局にフィードバックされてデータブロックが再送信される必要があることを示す、方法。
【請求項１２】
請求項１０の方法において、前記ＮＡＣＫシグナリング及びＡＣＫシグナリングがＩ−Ｑ多重化されて前記基地局にフィードバックされる、方法。
【請求項１３】
請求項１の方法において、前記ＭＢＭＳサービスがｅｖｏｌｖｅｄＭＢＭＳ（ｅＭＢＭＳ）である、方法。
【請求項１４】
請求項１の方法において、前記データ再送信がＨＡＲＱ（ハイブリッド自動再送要求）メカニズムを採用する、方法。
【請求項１５】
ＭＢＭＳ（マルチメディア・ブロードキャスト／マルチキャストサービス）におけるデータ再送信のためのシステムであって、
アップリンク時間−周波数リソースブロックを移動局に割り当て、該移動局からフィードバックされたアップリンクフィードバックシグナリングに基づいてデータブロックを再送信するかを決定する基地局、及び
割り当てられた前記アップリンク時間−周波数リソースブロックで、受信された前記ダウンリンクＭＢＭＳサービスデータに関する前記アップリンクフィードバックシグナリングをフィードバックする前記移動局を備え、１つの同じダウンリンクＭＢＭＳサービスデータに関する該アップリンクフィードバックシグナリングが１つの同じダウンリンクＭＢＭＳサービスデータが１つの同じアップリンク時間−周波数リソースに合成され、異なるダウンリンクＭＢＭＳサービスデータに関する該アップリンクフィードバックシグナリングが１つのアップリンク時間−周波数リソースブロックに多重化されるものである、
システム。
【請求項１６】
請求項１５のシステムにおいて、前記移動局が、１つの同じダウンリンクＭＢＭＳサービスデータに関するアップリンクフィードバックシグナリングを１つの同じ共通使用される周波数領域リソースで送信されるようにすることによって、１つの同じマルチキャストサービスに対して該移動局全てが１つの同じ周波数領域リソースを共有する、システム。
【請求項１７】
請求項１６のシステムにおいて、前記周波数領域リソースがサブキャリアであるシステム。
【請求項１８】
請求項１５のシステムにおいて、前記移動局が、１つの同じダウンリンクＭＢＭＳサービスデータに関するアップリンクフィードバックシグナリングを１つの同じ共通使用される時間領域リソースで送信されるようにすることによって、１つの同じマルチキャストサービスに対して該移動局全てが１つの同じ時間領域リソースを共有する、システム。
【請求項１９】
請求項１８のシステムにおいて、前記時間領域リソースが異なるサブキャリアについて１つの同じシンボルであるシステム。
【請求項２０】
請求項１５のシステムにおいて、１つの同じダウンリンクＭＢＭＳサービスを受信する前記移動局全てが、前記アップリンクフィードバックシグナリングのフィードバックのための前記共通的に使用される時間−周波数リソースにおける１つの同じパイロット手法を採用する、システム。
【請求項２１】
請求項１５のシステムにおいて、前記移動局が、１つの同じ周波数領域リソースブロックで異なるダウンリンクＭＢＭＳサービスデータに関する前記アップリンクフィードバックシグナリングを多重化して、該異なるダウンリンクＭＢＭＳサービスデータに対する該アップリンクリードバックシグナリングを区別する、システム。
【請求項２２】
請求項２１のシステムにおいて、前記多重化が時分割多重化であるシステム。
【請求項２３】
請求項２１のシステムにおいて、前記多重化が周波数分割多重化であるシステム。
【請求項２４】
請求項１５のシステムにおいて、前記アップリンクフィードバックシグナリングがＮＡＣＫシグナリングであるシステム。
【請求項２５】
請求項２４のシステムにおいて、前記移動局が前記ＮＡＣＫシグナリング及びＡＣＫシグナリングをＩ−Ｑ多重化して前記基地局にフィードバックするシステム。
【請求項２６】
請求項１５のシステムにおいて、前記ＭＢＭＳサービスがｅｖｏｌｖｅｄＭＢＭＳ（ｅＭＢＭＳ）であるシステム。
【請求項２７】
請求項１５のシステムにおいて、前記データ再送信がＨＡＲＱ（ハイブリッド自動再送要求）メカニズムを採用するシステム。
【発明の詳細な説明】
【技術分野】
【０００１】
本発明は移動体通信分野に関し、より具体的にはＭＢＭＳ（マルチメディア・ブロードキャスト／マルチキャストサービス）におけるデータ再送信の方法及びシステムに関し、アップリンクフィードバックシグナリングが１つの同じアップリンク時間−周波数リソースブロックに多重化／合成されてリソース消費を節約し、アップリンク輻輳を回避するものである。
【背景技術】
【０００２】
３ＧＰＰ（第３世代パートナーシップ）は２００５年にＬＴＥ（ロングタームエボリューション）を開始し、オペレータ及びユーザによる増加する要求へのサポートをより高いデータスループット及びより良いネットワーク性能で提供することが期待されている。
【０００３】
ＭＢＭＳは３ＧＰＰ  Ｒｅｌ６において導入された、データ源から複数ユーザへのデータ送信のためのポイントトゥマルチポイントのサービスである。ＭＢＭＳはネットワーク（コアネットワーク及びアクセスネットワークを含む）のリソースの共有化を実施することができ、あるサービスを、同じ要求を持つ可能な限り多くのマルチメディアユーザに可能な限り少ないリソースで提供することができる。無線アクセスネットワーク（ＲＡＮ）では、共通のトランスポートチャネル及び共通の無線ベアラを使用することによって、ＭＢＭＳは低いレートのテキストメッセージのマルチキャスト及びブロードキャストだけでなく、高いレートのマルチメディアサービス（例えば、モバイルＴＶ）のマルチキャスト及びブロードキャストを実施できる。
【０００４】
現在、ＥＭＢＭＳ（ＥｖｏｌｖｅｄＭＢＭＳ）の検討が進行中である。
【０００５】
本願はＯＦＤＭＡ（直交周波数分割多重アクセス）に基づいて３ＧＰＰ  ＬＴＥ移動体通信システムに一般に適用され、特に、ＥｖｏｌｖｅｄＵＭＴＳ無線アクセスネットワーク（Ｅ−ＵＴＲＡＮ）におけるＥＭＢＭＳ送信の設計に適用される。
【０００６】
ＥＭＢＭＳは３ＧＰＰ  ＬＴＥにおけるＭＢＭＳの発展型である。全く異なる物理層伝送技術、即ち、ＯＦＤＭＡ送信モードを採用することによって、ＥＭＢＭＳはＷＣＤＭＡ（広帯域符号分割多重アクセス）リリース６プロトコルにおけるＭＢＭＳと比較して多くの新しい機能を有する。
【０００７】
ＭＢＭＳサービスの送信は２つの方法、即ち、複数セル送信及び単一セル送信でダウンリンクにおいて実行できる。本発明は単一セル送信を関与させる。単一セル送信、即ち、セル特有ポイントトゥマルチポイント送信の場合には、マルチキャストサービスが各セルで独立し、同期送信は必要ではない。ＭＢＭＳトラフィックチャネル（ＭＴＣＨ）はＤＬ共有化データチャネル（ＤＬ−ＳＣＨ）にマッピングできる。
【０００８】
ＵＥ（ユーザ機器）が複数の非対称セルからデータを同期受信してそれらをＥｖｏｌｖｅｄＵＴＲＡ（Ｅ−ＵＴＲＡ）において合成できない場合は、それはＵＴＲＡ  Ｒｅｌ６におけるＭＢＭＳソフト合成と同じ性能を達成できない。
【０００９】
Ｅ−ＵＴＲＡでは、ＤＬ−ＳＣＨが専用トラフィックチャネル（ＤＴＣＨ）によって主にマッピングされる。ＵＥユニキャストトラフィック及びシステムスループットのピークレートを向上するために、ＤＬ−ＳＣＨはＨＡＲＱ（ハイブリッド自動再送要求）、動的に変化する変調、符号化及び送信電力に基づくリンク適合、動的及び準静的なリソース割当て、並びにＣＱＩ(チャネル品質表示）報告を用いて特徴付けられる。
【００１０】
ＭＴＣＨがＤＬ−ＳＣＨにマッピングされると、ＤＬ−ＳＣＨはセル全体にブロードキャストされる。データ送信レートを向上するとともにセルのエッジでのブロックエラー比率を低減するために、ＨＡＲＱのようなユニキャストサービスの送信と同様の方法及び手順がマルチキャストサービスに適用できる。
【００１１】
データ通信において正確かつエラーのないデータ送信を得るために、ＦＥＣ（前方エラー訂正）符号化とＡＲＱ（自動再送要求）の組合せが適用されてＨＡＲＱといわれるエラー制御を形成する。ＦＥＣは受信機に正しく受信されたデータブロックを取得させ、又はエラーを含むデータブロックが受信されたことを判断させることができる。その後、受信機はフィードバックメッセージを送信機に送る。データブロックが正しい場合、ＡＣＫ（Ａｃｋｎｏｗｌｅｄｇｅｄ）メッセージが送られる。データブロックがエラーを含む場合、ＮＡＣＫ（ＮｏｔＡｃｋｎｏｗｌｅｄｇｅｄ）メッセージが送られる。送信機は受信フィードバックメッセージがＡＣＫであるかＮＡＣＫであるかに基づいて、次のデータブロックを送信するか、又はエラーを含んで受信されたデータブロックを再送信するかを決定する。
【００１２】
従来技術では、ＨＡＲＱ手順が１つのＵＥに関してあるサービスに常に実行される。即ち、ＵＥはユニキャストデータを受信し、データブロックがエラーを含むときにアップリンクチャネルを介して再送信のリクエストのためのＮＡＣＫメッセージを送信する。しかし、データが複数のユーザに送信されるマルチキャスト送信の場合、データを受信する多数のＵＥがデータブロックはエラーを含むと判断した場合、それらはＮＡＣＫメッセージをアップリンクチャネルを介して同時に送信することになり、アップリンクチャネルでの輻輳をもたらす。Ｅ−ＵＴＲＡにおける物理層の設計の特徴との関係において、出願人は、サービスデータパケットに関するアップリンクＮＡＣＫシグナリングが１つの同じ時間−周波数リソースを共通的に使用できることを見出した。
【発明の概要】
【課題を解決するための手段】
【００１３】
本発明は従来技術における上記の欠点を克服するために提案される。従って、本発明はＭＢＭＳにおけるデータ再送信のための方法及びシステムを提供し、アップリンクのフィードバックシグナリングが１つの同じアップリンク時間−周波数リソースブロックにおいて多重化／合成されて、それによりリソース消費を節約し、アップリンク輻輳を回避する。
【００１４】
上記の目的を実施するために、本発明は、ＭＢＭＳ（マルチメディア・ブロードキャスト／マルチキャストサービス）におけるデータ再送信のための方法であって、基地局がアップリンク時間−周波数リソースのブロックを移動局に割り当てるステップ、移動局が、割り当てられたアップリンク時間−周波数リソースのブロックで、受信されたダウンリンクＭＢＭＳサービスデータに関するアップリンクフィードバックシグナリングを基地局にフィードバックするステップであって、１つの同じダウンリンクＭＢＭＳサービスデータに関するアップリンクフィードバックシグナリングが１つの同じアップリンク時間−周波数リソースにおいて合成され、異なるダウンリンクＭＢＭＳサービスデータに関するアップリンクフィードバックシグナリングが１つのアップリンク時間−周波数リソースブロックにおいて多重化されるようなステップ、及び基地局が、フィードバックされたアップリンクフィードバックシグナリングに基づいて、データブロックを再送信するかを判断するステップを備える方法を提案する。
【００１５】
好ましくは、上記合成は、１つの同じマルチキャストサービスに対して移動局全てが１つの同じ周波数領域リソースを共有するように、１つの同じダウンリンクＭＢＭＳサービスデータに関するアップリンクフィードバックシグナリングが１つの同じ共通使用される周波数領域リソースで送信されるようにすることからなる。
好ましくは、周波数領域のリソースはサブキャリアである。
【００１６】
好ましくは、上記合成は、１つの同じマルチキャストサービスに対して移動局全てが１つの同じ時間領域リソースを共有するように、１つの同じダウンリンクＭＢＭＳサービスデータに関するアップリンクフィードバックシグナリングが１つの同じ共通使用される時間領域リソースで送信されるようにすることからなる。
好ましくは、時間領域のリソースは異なるサブキャリアについて１つの同じシンボルである。
【００１７】
好ましくは、１つの同じダウンリンクＭＢＭＳサービスを受信する移動局全てが、アップリンクフィードバックシグナリングのフィードバックのための共通使用される時間−周波数リソースにおける１つの同じパイロット手法を採用する。
【００１８】
好ましくは、上記多重化は、１つの同じ周波数領域リソースブロックで異なるダウンリンクＭＢＭＳサービスデータに関するアップリンクフィードバックシグナリングを多重化して、異なるダウンリンクＭＢＭＳサービスデータに対するアップリンクリードバックシグナリングを区別することからなる。
好ましくは、上記多重化は時分割多重化である。
好ましくは、上記多重化は周波数分割多重化である。
【００１９】
好ましくは、アップリンクフィードバックシグナリングはＮＡＣＫシグナリングである。
好ましくは、セル内の移動局のいずれかが１つの同じＭＢＭＳサービスデータに対するデータ送信におけるエラーを検出したときに、ＮＡＣＫシグナリングが基地局にフィードバックされてデータブロックが再送信される必要があることを示す。
好ましくは、ＮＡＣＫシグナリング及びＡＣＫシグナリングはＩ−Ｑ多重化されて基地局にフィードバックされる。
【００２０】
好ましくは、ＭＢＭＳサービスはｅｖｏｌｖｅｄＭＢＭＳ（ｅＭＢＭＳ）である。
【００２１】
好ましくは、データ再送信はＨＡＲＱ（ハイブリッド自動再送要求）メカニズムを採用する。
【００２２】
さらに、本発明は、ＭＢＭＳ（マルチメディア・ブロードキャスト／マルチキャストサービス）におけるデータ再送信のためのシステムであって、アップリンク時間−周波数リソースブロックを移動局に割り当て、移動局からフィードバックされたアップリンクフィードバックシグナリングに基づいてデータブロックを再送信するかを決定する基地局、及び、割り当てられたアップリンク時間−周波数リソースブロックで、受信されたダウンリンクＭＢＭＳサービスデータに関するアップリンクフィードバックシグナリングをフィードバックする移動局を備え、１つの同じダウンリンクＭＢＭＳサービスデータに関するアップリンクフィードバックシグナリングが１つの同じダウンリンクＭＢＭＳサービスデータが１つの同じアップリンク時間−周波数リソースに合成され、異なるダウンリンクＭＢＭＳサービスデータに関するアップリンクフィードバックシグナリングが１つのアップリンク時間−周波数リソースブロックに多重化されるシステムを提案する。
【００２３】
以降の実施例の説明との関連で図面を参照することにより、本発明の技術上の目的、技術的な手法及び有利な効果がより明らかとなる。
【図面の簡単な説明】
【００２４】
【図１】図１は異なるＵＥ（ユーザ機器）に対する「非データ関連」シグナリングが時間−周波数領域のリソース内で排他的に送信されることを示す概略図である。
【図２】図２は１つの同じダウンリンクマルチキャストデータに対するＮＡＣＫシグナリングが１つの周波数領域サブバンドリソースを共通的に使用し、異なるダウンリンクマルチキャストデータに対するＮＡＣＫシグナリングが１つの時間−周波数リソースブロックで周波数分割多重化されることを示す概略図である。
【図３】図３は１つの同じダウンリンクマルチキャストデータに対するＮＡＣＫシグナリングが１つの時間領域のリソースを共通的に使用し、異なるダウンリンクマルチキャストデータに対するＮＡＣＫシグナリングが１つの時間−周波数リソースブロックで時分割多重化されることを示す概略図である。
【図４】図４はＮＡＣＫシグナリンク及びＡＣＫシグナリングがＩ−Ｑ多重化されることを示す概略図である。
【図５】図５は本発明によるデータ再送信のための方法を示すフローチャートである。
【発明を実施するための形態】
【００２５】
ユニキャストサービスとの比較において、本発明によるマルチキャストデータのためのＨＡＲＱメカニズムはそれ自体の特徴を有する。例えば、データブロックは、セル内のＵＥのいずれかがＮＡＣＫシグナリングをフィードバックするときに再送信される必要がある。ＵＥはＮＡＣＫシグナリングをフィードバックする必要があるだけで、アイドル状態でそれをフィードバックできる。アップリンクフィードバック信号は１つの同じアップリンク時間−周波数リソースブロックにおいて多重化／合成されて、それによりリソース消費を節約し、アップリンク輻輳を回避する。
【００２６】
以降、本発明の好ましい実施例が図面を参照して説明される。
【００２７】
Ｅ−ＵＴＲＡにおける基本的アップリンク送信手法はＤＦＴ−拡散ＯＦＤＭとして知られるサイクリックプレフィクス（ＣＰ）による単一キャリア送信である。アップリンクでは、Ｌ１／Ｌ２（レイヤ１／レイヤ２）が、時間−周波数領域内でシグナリング、データ及びパイロットを多重化する制御を行う。Ｌ１／Ｌ２制御シグナリング情報の中で、ダウンリンク送信に起因するＣＱＩ及び／又はＡＣＫ／ＮＡＣＫは「非データ関連」シグナリングである。非データ関連シグナリングはデータと同時には送信されない。異なるＵＥに対する非データ関連シグナリングは、図１に示す楕円領域によって示すように、周波数／時間／符号又はそれらの混合を用いて多重化され、そして時間−周波数領域のリソース内で排他的に送信される。
【００２８】
１リソース単位（３７５ｋＨｚ帯域幅）について、マルチキャストサービスにおいて複数のＵＥのアップリンク制御シグナリングに割り当てられた１つのサブキャリアは図２の楕円領域として示される。図２に示すように、１つの同じダウンリンクマルチキャストサービスに関するＮＡＣＫシグナリングは１つの周波数領域サブバンドリソースを共通的に使用する。例えば、各サブキャリアがＭＢＭＳサービスのフィードバックに割り当てられる。なお、ここでは、マルチキャストサービスの全てのＵＥが１つの周波数領域サブバンドリソースを共有する。さらに、図２に示すように、異なるダウンリンクＭＢＭＳサービスデータに関するアップリンクフィードバックシグナリングは１つの同じ周波数領域のリソースブロックにおいて周波数分割多重化されて、それにより、異なるダウンリンクＭＢＭＳサービスデータに対するアップリンクフィードバックシグナリングを区別する。
【００２９】
図３の楕円領域によって示すように、１つの同じダウンリンクマルチキャストデータに対するＮＡＣＫシグナリングは、生成を失うことなく、１つの時間領域のリソースを共通的に使用する。例えば、異なるサブキャリアに対する１つの同じシンボルが１つのＭＢＭＳサービスのフィードバックに対して割り当てられる。なお、ここでは、マルチキャストサービスの全てのＵＥは１つの時間領域のリソースを共有する。さらに、図３に示すように、異なるダウンリンクＭＢＭＳサービスデータに関するアップリンクフィードバックシグナリングは１つの同じ周波数領域のリソースブロックにおいて時分割多重化されて、それにより異なるダウンリンクＭＢＭＳサービスデータに対するアップリンクフィードバックシグナリングを区別する。
【００３０】
ＯＦＤＭの観点から、異なるＵＥからのＮＡＣＫシグナリングは同一である。従って、それらの時間領域の波は小さい時間遅延（１０００メートル半径セルについて３．３μｓ）があるだけで同じである。正確なチャネル応答を推定するために、全てのＵＥは同じパイロットパターンを使用する。従って、シグナリングの合成は無線伝搬中に達成できる。これはｅＮＢ（ＥｖｏｌｖｅｄＮｏｄｅＢ）に対して透明である。これはあるＵＥがＮＡＣＫシグナリングを送りトランスポートブロックを再送信することをｅＮＢが実現するのに十分である。
【００３１】
アップリンク時間／周波数領域においてダウンリンクＭＢＭＳサービスのためにＮＡＣＫシグナリングする状況はＭＢＭＳ制御チャネル（ＭＣＣＨ）で示される。ＭＣＣＨを受信した後に、ＵＥは時間／周波数領域のどの状況でＮＡＣＫシグナリングがフィードバックされ得るのかを正確に知ることができる。ＡＣＫシグナリングもｅＮＢにフィードバックされる必要がある場合、図４に示すように、それは例えばＱＰＳＫ変調を用いてＮＡＣＫシグナリングとＩ−Ｑ多重化され得る。
【００３２】
図５に本発明によるデータ再送信の方法を示すフロー図を示す。
【００３３】
図５に示すように、ステップ５０１で、ｅＮＢはアップリンク時間−周波数リソースブロックをＵＥに割り当てる。ステップ５０３において、ＵＥは、割り当てられたアップリンク時間−周波数リソースブロック内のそれぞれのダウンリンクＭＢＭＳサービスデータに関するアップリンクフィードバックシグナリング（例えば、ＮＡＣＫシグナリング）を合成し、それらをｅＮＢにフィードバックする。ここで、１つの同じダウンリンクＭＢＭＳサービスデータに関するアップリンクフィードバックシグナリングが１つの同じアップリンク時間−周波数リソースで合成され、異なるダウンリンクＭＢＭＳサービスデータに関するアップリンクフィードバックシグナリングが１つのアップリンク時間−周波数リソースブロックで多重化される。ステップ５０５において、ｅＮＢはフィードバックされたアップリンクフィードバックシグナリングに基づいてデータブロックを再送信するかを決定する。
【００３４】
本発明は従来のＨＡＲＱとは異なるＨＡＲＱのモードを提案する。本発明はブロードキャスト／マルチキャストサービスに関連し、ユーザに基づくのではなく、サービスに基づくＮＡＣＫメッセージをフィードバックする。１つの同じサービスを受信する全てのＵＥが１つの同じアップリンクリソースに割り当てられる。ＯＦＤＭ送信技術を用いることによって、ＵＥによって送られたＮＡＣＫフィードバックシグナリングは、ｅＮＢに到達するときに同じ空間波を有するが伝搬遅延だけ異なる。サイクリックプレフィクス（ＣＰ）ウィンドウはこれらの異なる遅延に起因する影響をなくし、全てのＵＥからの信号を合成及び受信する。
【００３５】
発明による再送信信号のフィードバックの方法は、アップリンクフィードバックチャネルが各ユーザに割り当てられた場合においてアップリンク輻輳を回避できる。さらに、マルチキャストサービスについて、データを再送信するために少ないＵＥがフィードバックすることだけが必要である。発明によるサービスに関するアップリンクフィードバックチャネルの割当てはまたポイントトゥマルチポイント送信に準拠する。
【００３６】
上記は本発明の好ましい実施例に過ぎず、本発明は上記実施例に限定されない。従って、本発明に対するあらゆる修正、代替及び改良が、本発明の精神と範囲から離れることなく可能である。
【図１】
2010531100.tif 000003
【図２】
2010531100.tif 000004
【図３】
2010531100.tif 000005
【図４】
2010531100.tif 000006
【図５】
2010531100.tif 000007
【国際調査報告】
2010531100.tif 000008
2010531100.tif 000009
2010531100.tif 000010
2010531100.tif 000011
2010531100.tif 000012